(57)【要約】【課題】収納された調理食品を食べやすくできる包装袋を提供する。【解決手段】透明材１が表側に配され、非透明材２が裏側に配され、短手方向の一側で透明材１と非透明材２とが継ぎ合わせられる。短手方向の他側において、非透明材２にガゼット３が形成され、非透明材２が表側に回り込んで透明材１と継ぎ合わせられ、長手方向の中間部分において、短手方向の一側にノッチ５が形成される。【選択図】図３
0003205857.tif 000002
【実用新案登録請求の範囲】
【請求項１】
長手方向の一側が開口され、細長い調理食品を収納可能な長方形の包装袋であって、透明材が表側に配され、非透明材が裏側に配され、短手方向の一側で透明材と非透明材とが継ぎ合わせられ、短手方向の他側において、非透明材にガゼットが形成され、非透明材が表側に回り込んで透明材と継ぎ合わせられ、長手方向の中間部分において、短手方向の一側にノッチが形成されたことを特徴とする包装袋。
【請求項２】
ガゼットが長手方向の一側から他側まで形成され、調理食品が収納されたときにガゼットが広がることを特徴とする請求項１記載の包装袋。
【請求項３】
透明材が透明な樹脂フィルムとされ、非透明材が紙と樹脂フィルムとを積層した積層材とされることを特徴とする請求項１または２記載の包装袋。
【考案の詳細な説明】
【技術分野】
【０００１】
本考案は、サンドイッチ、パニーニ、ホットドッグなどの細長い調理食品を収納する包装袋に関する。
【背景技術】
【０００２】
サンドイッチやパニーニなどの細長い調理食品を収納するためには、特許文献１に記載されているように、長手方向の一側が開口され、短手方向の両側にガゼットが形成された長方形の包装袋が使用される。紙とフィルムとを積層した積層材からなる包装袋の表側の中央に透明なフィルム材からなる窓部が設けられ、収納されている調理食品が見える。
【０００３】
そして、この調理食品を包装袋に入れたまま食べる場合がある。そのため、特許文献２に記載されているように、シートを重ね合わせて熱融着した部分にノッチが形成されている。包装袋が上下に引き裂かれると、調理食品の上部が現れ、包装袋を手で持ったまま調理食品を食べることができる。
【先行技術文献】
【特許文献】
【０００４】
【特許文献１】登録実用新案第３１８０９２２号公報
【特許文献２】実開昭６２−１８５２４４号公報
【考案の開示】
【考案が解決しようとする課題】
【０００５】
ところで、引用文献１に記載されているような調理食品を外部から見ることができる包装袋の場合、包装袋を引き裂けるようにするには、ガゼットの外端にノッチを形成しなければならない。しかし、フィルム材と積層材との継ぎ合わせ部分はガゼットの外端にはなく、フィルム材に切れ目がないので、フィルム材を引き裂くことができないおそれがある。そのため、包装袋に調理食品を入れたまま包装袋を引き裂くことができず、包装袋を手で持ったまま調理食品を食べることができない。
【０００６】
そこで、本考案は、上記に鑑み、収納された調理食品を食べやすくできる包装袋の提供を目的とする。
【課題を解決するための手段】
【０００７】
本考案の包装袋は、長手方向の一側が開口され、細長い調理食品を収納可能な長方形の包装袋であって、透明材が表側に配され、非透明材が裏側に配され、短手方向の一側で透明材と非透明材とが継ぎ合わせられ、短手方向の他側において、非透明材にガゼットが形成され、非透明材が表側に回り込んで透明材と継ぎ合わせられ、長手方向の中間部分において、短手方向の一側にノッチが形成されたものである。
【０００８】
調理食品が包装袋に入った状態でノッチから包装袋を引き裂くと、透明材がスムーズに引き裂かれ、包装袋の一部を容易に切り取ることができる。調理食品が包装袋から外部に露出し、包装袋を手に持ったまま調理食品を食べることができる。
【０００９】
ガゼットが長手方向の一側から他側まで形成され、調理食品が収納されたときにガゼットが広がる。調理食品の入った包装袋をテーブル等に置くと、透明材を通じて包装袋に入った調理食品を視認でき、調理食品の内容がわかる。
【考案の効果】
【００１０】
本考案によると、収納された調理食品が見える包装袋を手に持ったまま容易に切り裂くことができるので、収納された調理食品を食べやすい包装袋を実現できる。
【図面の簡単な説明】
【００１１】
【図１】本考案の包装袋の正面図
【図２】包装袋の断面図
【図３】包装袋の斜視図
【図４】調理食品の入った包装袋の斜視図
【図５】調理食品の入った包装袋を切り裂いたときの斜視図
【考案を実施するための最良の形態】
【００１２】
本実施形態の包装袋を図１〜３に示す。包装袋は、表側に配された透明材１と裏側に配された非透明材２とから構成され、長手方向の一側が開口された長方形状に形成される。透明材１は、二軸延伸ポリプロピレン（ＯＰＰ）といった樹脂フィルムとされる。非透明材２は、未晒しクラフト材と直鎖状低密度ポリエチレン（ＬＬＤ）のフィルム材とを積層した非透明の積層材である。
【００１３】
短手方向の一側において、透明材１と非透明材２とが重ね合わせられ、両材１，２がヒートシールにより継ぎ合わされる。短手方向の他側では、非透明材２が内側に折り込まれて、ガゼット３が形成される。そして、短手方向の他側において、非透明材２が表側に回り込み、非透明材２の下に透明材１が重ねられ、両材１，２がヒートシールにより継ぎ合わされる。長手方向の他側において、透明材１と非透明材２とが重ね合わせられ、両材１，２がヒートシールにより継ぎ合わされるとともに、ガゼット３を形成する非透明材２同士が重ねられて、ヒートシールにより継ぎ合わされる。したがって、ガゼット３は長手方向の一側から他側まで形成される。なお、図中、４がヒートシールによって形成されたシール部である。
【００１４】
短手方向の一側に、ノッチ５が設けられる。ノッチ５は、長手方向の中間部分に位置し、シール部４に形成される。これにより、短手方向に沿って包装袋を切り裂くことができ、包装袋を二分割できる。
【００１５】
サンドイッチ、パニーニなどの細長い調理食品６が包装袋の一側の開口から入れられる。図４に示すように、調理食品６によってガゼット３が広がり、包装袋の短手方向の他側を底面にして、包装袋を置くことができる。透明材１が正面を向くことにより、包装袋の中の調理食品６が見える。なお、包装袋の長手方向の一側を折り曲げて、テープやシールなどによって封をする、あるいは開口をヒートシールするといったことにより、開口が閉じられる。
【００１６】
このように、透明材１を通して包装袋に収納された調理食品６を見ることができ、包装袋の正面にいる人は調理食品６の内容を確認できる。
【００１７】
そして、図５に示すように、調理食品６を包装袋に入れたまま食べるとき、手に持った包装袋を切り裂いて、調理食品６を包装袋の外部に露出させる。すなわち、長手方向の他側を下にして包装袋を手に持ち、ノッチ５の上側および下側を指でそれぞれ摘み、包装袋を水平方向に引き裂いてから上方に向けて引き裂く。ノッチ６が透明材１の切れ目となって、透明材１を引き裂くことができる。包装袋の上半分が開放され、調理食品６の上側が現れ、包装袋に入った調理食品６を食べることができる。なお、調理食品６からの汁等の液体は包装袋から滲み出ることはない。
【００１８】
このように、調理食品６が入った包装袋を手に持ったまま包装袋を容易に切り裂くことができる。包装袋から調理食品６が外部に露出するので、包装袋に収納された調理食品６が食べやすくなる。
【００１９】
なお、本考案は、上記実施形態に限定されるものではなく、本考案の範囲内で上記実施形態に多くの修正および変更を加え得ることは勿論である。透明材１は、包装袋の中が透けて見えるように、着色された樹脂フィルムや透光性を有する紙であってもよい。非透明材２は、不織布であってもよい。また、ノッチ５は、長手方向に沿って複数個所に設けてもよい。調理食品６の長さに応じて包装袋を切り裂くことにより、包装袋に入った調理食品を確実に露出させることができる。
【符号の説明】
【００２０】
１    透明材
２    非透明材
３    ガゼット
４    シール部
５    ノッチ
６    調理食品
【図１】
0003205857.tif 000003
【図２】
0003205857.tif 000004
【図３】
0003205857.tif 000005
【図４】
0003205857.tif 000006
【図５】
0003205857.tif 000007